(57)【要約】      （修正有）【課題】試料の汚染による分析データの悪化を防ぐことができる自動分析装置を提供する。【解決手段】試料容器１７に収容された試料を吸引して反応容器に吐出する分注を行うサンプル分注プローブ１６と、サンプル分注プローブ１６を各第１乃至第３の洗浄液を用いて洗浄する洗浄部と、サンプル分注プローブ１６を移動させる駆動機構とを備え、サンプル分注プローブ１６を試料の吸引が可能な通常吸引位置Ｐ４１又はこの通常吸引位置Ｐ４１よりも下方の特殊吸引位置Ｐ４２で停止させ、通常吸引位置Ｐ４１で停止したサンプル分注プローブ１６を洗浄部により第１の洗浄液を用いて洗浄が可能な通常洗浄位置又はこの通常洗浄位置よりも下方の第１又は第２の洗浄液を用いて洗浄可能な特殊洗浄位置で停止させる。【選択図】図３
2014055807.tif 000002
【特許請求の範囲】
【請求項１】
試料容器に収容された試料を反応容器に分注して、前記試料との混合液を測定する自動分析装置において、
前記試料を吸引して前記反応容器に吐出する分注を行う分注プローブと、
前記分注プローブを第１又は第２の洗浄液を用いて洗浄する洗浄部と、
前記分注プローブを前記試料の吸引が可能な通常吸引位置又はこの通常吸引位置よりも下方の特殊吸引位置で停止させ、前記通常吸引位置で停止した前記分注プローブを前記洗浄部により前記第１の洗浄液を用いて洗浄が可能な通常洗浄位置又はこの通常洗浄位置よりも下方の前記第１又は第２の洗浄液を用いて洗浄可能な特殊洗浄位置で停止させるプローブ移動機構とを
備えたことを特徴とする自動分析装置。
【請求項２】
前記特殊洗浄位置は、前記第２の洗浄液を用いて洗浄可能な第１の洗浄位置及びこの第１の洗浄位置よりも下方の第２の洗浄位置、並びに前記第１の洗浄液を用いて洗浄可能な第３の洗浄位置であり、
前記駆動機構は、前記通常吸引位置で停止した前記分注プローブを前記通常洗浄位置又は前記第１の洗浄位置で停止させ、前記特殊吸引位置で停止した前記分注プローブを前記第２又は第３の洗浄位置で停止させることを特徴とする請求項１に記載の自動分析装置。
【請求項３】
前記分注プローブを前記特殊吸引位置で停止させて洗浄を行うための検査項目を設定する特殊洗浄条件設定手段を有し、
前記駆動機構は、前記特殊洗浄条件設定手段により検査項目が設定された試料の分注が終了した後に前記第２又は第３の洗浄位置で停止させることを特徴とする請求項２に記載の自動分析装置。
【請求項４】
前記分注プローブを前記第２の洗浄液を用いて洗浄を行うための検査項目を設定する特殊洗浄条件設定手段を有し、
前記駆動機構は、前記特殊洗浄条件設定手段により検査項目が設定された試料の分注が開始される前に前記第１又は第２の洗浄位置で停止させることを特徴とする請求項２又は請求項３に記載の自動分析装置。
【請求項５】
前記分注プローブを前記通常洗浄位置で停止させる通常時間よりも長い特殊時間停止させて洗浄を行うための検査項目を設定する特殊洗浄条件設定手段を有し、
前記駆動機構は、前記特殊洗浄条件設定手段により検査項目が設定された試料の分注が終了した後に前記第１乃至第３の洗浄位置のいずれかの洗浄位置で前記特殊時間停止させることを特徴とする請求項２乃至請求項４のいずれかに記載の自動分析装置。
【請求項６】
前記試料容器に収容された試料をこの試料と前記分注プローブとの接触により検出する検出器を有し、
前記通常吸引位置は前記検出器により検出された位置から第１の距離下方の位置であり、前記特殊吸引位置は前記試料容器上方から所定の距離下方の位置であることを特徴とする請求項１乃至請求項５のいずれかに記載の自動分析装置。
【請求項７】
前記通常洗浄位置は、前記駆動機構により前記試料容器上方の試料位置と前記反応容器上方の反応位置の間を移動する前記分注プローブの軌道上又はこの軌道の延長線上にある位置であり、
前記洗浄部は、前記通常洗浄位置で停止した前記分注プローブに向けて前記洗浄液を吐出する第１の洗浄管、前記第１又は第２の洗浄位置で停止した前記分注プローブを洗浄するための前記第２の洗浄液を貯留する第２の洗浄管及び前記第３の洗浄位置で停止した前記分注プローブを洗浄するための前記第１の洗浄液を貯留する第３の洗浄管を有することを特徴とする請求項１乃至請求項６のいずれかに記載の自動分析装置。
【発明の詳細な説明】
【技術分野】
【０００１】
本発明の実施形態は、試料を分注する分注プローブを洗浄する機能を備えた自動分析装置に関する。
【背景技術】
【０００２】
自動分析装置は生化学検査項目や免疫検査項目等を対象とし、被検体から採取された被検試料等の試料と各検査項目の試薬との混合液の反応によって生ずる色調や濁りの変化を、分光光度計や比濁計の測光部で光学的に測定することにより、試料中の検査項目成分の濃度や酵素の活性等で表される分析データを生成する。
【０００３】
この自動分析装置では、被検試料毎に複数の検査項目の中から、検査に応じて設定された検査項目の分析を行う。そして、サンプル分注プローブは、試料容器に収容された各被検試料を吸引して反応容器に吐出する。また、試薬分注プローブは、試薬容器に収容された試薬を吸引して反応容器に吐出する。また、測光部は、反応容器内に吐出された被検試料及び試薬の混合液を測定する。そして、サンプル分注プローブは、試料の分注終了毎に洗浄される。また、試薬分注プローブは、試薬の分注終了毎に洗浄される。
【０００４】
ところで、自動分析装置で使用する試料容器には被検体から採血された全血を収容する採血管がある。この採血管に収容された全血は、血清又は血漿からなる上層の試料と血球成分等を含む下層の試料に分離され、上層の試料や下層の試料を分注して各検査項目の分析が行われる。そして、検査項目の中には上層試料を用いて高感度な分析が要求される項目がある。
【先行技術文献】
【特許文献】
【０００５】
【特許文献１】特開２０１１−２５７３８６号公報
【発明の概要】
【発明が解決しようとする課題】
【０００６】
しかしながら、下層試料の分注を行った後に上層試料を吸引する場合や、被検試料に高感度な分析が要求される検査項目が設定されている場合、サンプル分注プローブ外壁に付着する試料の汚染により、被検試料に設定された検査項目の分析データが悪化する問題がある。
【０００７】
本発明の実施形態は、上記問題点を解決するためになされたもので、試料の汚染による分析データの悪化を防ぐことができる自動分析装置を提供することを目的とする。
【課題を解決するための手段】
【０００８】
上記目的を達成するために、実施形態の自動分析装置は、試料容器に収容された試料を反応容器に分注して、前記試料との混合液を測定する自動分析装置において、前記試料を吸引して前記反応容器に吐出する分注を行う分注プローブと、前記分注プローブを第１又は第２の洗浄液を用いて洗浄する洗浄部と、前記分注プローブを前記試料の吸引が可能な通常吸引位置又はこの通常吸引位置よりも下方の特殊吸引位置で停止させ、前記通常吸引位置で停止した前記分注プローブを前記洗浄部により前記第１の洗浄液を用いて洗浄が可能な通常洗浄位置又はこの通常洗浄位置よりも下方の前記第１又は第２の洗浄液を用いて洗浄可能な特殊洗浄位置で停止させるプローブ移動機構とを備えたことを特徴とする。
【図面の簡単な説明】
【０００９】
【図１】実施形態に係る自動分析装置の構成を示すブロック図。
【図２】実施形態に係る分析部の構成を示す斜視図。
【図３】実施形態に係る被検試料の分注に用いるサンプル分注プローブ、サンプル分注アーム、サンプル分注ポンプ、液面検出器及び試料容器を示す図。
【図４】実施形態に係るサンプル分注プローブが停止する各位置を示す図。
【図５】実施形態に係る洗浄部の構成の一例を示す図。
【図６】実施形態に係る洗浄槽の構成を示す図。
【図７】実施形態に係る通常洗浄位置で停止したサンプル分注プローブを示す図。
【図８】実施形態に係る第１及び第２の洗浄位置で停止したサンプル分注プローブを示す図。
【図９】実施形態に係る特殊内壁洗浄位置で停止したサンプル分注プローブを示す図。
【図１０】実施形態に係る第３の洗浄位置で停止したサンプル分注プローブを示す図。
【図１１】実施形態に係る表示部に表示された特殊洗浄条件設定画面の一例を示す図。
【図１２】実施形態に係る複数の被検試料、各被検試料に設定された検査項目及び洗浄条件の一例を示す図。
【発明を実施するための形態】
【００１０】
以下、図面を参照して実施形態を説明する。
図１は、実施形態に係る自動分析装置の構成を示したブロック図である。この自動分析装置１００は、各検査項目の標準試料や被検試料等の試料と各検査項目の分析に用いる試薬とを分注し、その混合液を測定して標準データや被検データを生成する分析部２４と、分析部２４の各ユニットを駆動して分注動作、測定動作、洗浄動作等の制御を行う分析制御部２５とを備えている。
【００１１】
また、自動分析装置１００は、分析部２４で生成された標準データや被検データを処理して検量データや分析データを生成するデータ処理部３０と、データ処理部３０で生成された検量データや分析データを印刷出力や表示出力する出力部４０と、各種コマンド信号の入力等を行う操作部５０と、分析制御部２５、データ処理部３０、及び出力部４０を統括して制御するシステム制御部６０とを備えている。
【００１２】
図２は、分析部２４の構成を示した斜視図である。この分析部２４は、標準試料や、尿、全血、全血から遠心分離により上下層に分離された試料、及び分離された上層の試料等の各被検試料を収容する試料容器１７と、この試料容器１７を保持するサンプルディスク５とを備えている。また、標準試料や被検試料の各試料に含まれる検査項目の成分と反応する１試薬系及び２試薬系の第１試薬を収容する試薬容器６と、この試薬容器６を回動可能に保持する試薬ラック１ａと、試薬ラック１ａに保持された試薬容器６を保冷する試薬庫１とを備えている。
【００１３】
また、２試薬系の第１試薬と対をなす第２試薬を収容する試薬容器７と、この試薬容器７を回動可能に保持する試薬ラック２ａと、試薬ラック２ａに保持された試薬容器７を保冷する試薬庫２と、円周上に配置された複数の反応容器３を回転可能に保持する反応ディスク４とを備えている。
【００１４】
また、サンプルディスク５に保持された試料容器１７内の各試料を吸引して反応容器３内へ吐出する分注を行うサンプル分注プローブ１６と、サンプル分注プローブ１６に試料の吸引及び吐出を行わせるサンプル分注ポンプ１６ａと、サンプル分注プローブ１６を回動及び上下移動可能に保持するサンプル分注アーム１０とを備えている。また、サンプル分注プローブ１６を各試料の分注終了毎に洗浄する洗浄部７０と、サンプルディスク５に保持された試料容器１７内の試料をこの試料とサンプル分注プローブ１６との接触により検出する液面検出器１６ｂとを備えている。
【００１５】
また、試薬ラック１ａに保持された試薬容器６内の第１試薬を吸引して試料が吐出された反応容器３内に吐出する分注を行う第１試薬分注プローブ１４と、この第１試薬分注プローブ１４を回動及び上下移動可能に保持する第１試薬分注アーム８と、第１試薬分注プローブ１４を洗浄する洗浄部８０と、反応容器３内に吐出された試料と第１試薬の混合液を撹拌する第１撹拌子１８とを備えている。
【００１６】
また、試薬ラック２ａに保持された試薬容器７内の第２試薬を吸引して第１試薬が吐出された反応容器３内に吐出する分注を行う第２試薬分注プローブ１５と、この第２試薬分注プローブ１５を回動及び上下移動可能に保持する第２試薬分注アーム９と、第２試薬分注プローブ１５を洗浄する洗浄部９０と、反応容器３内の試料、第１試薬、及び第２試薬の混合液を撹拌する第２撹拌子１９とを備えている。また、反応容器３内の混合液に光を照射して光学的に測定する測光部１３と、測光部１３で測定を終了した反応容器３内を洗浄する反応容器洗浄ユニット１２とを備えている。
【００１７】
そして、測光部１３は反応容器３に光を照射し、反応容器３内の標準試料や各被検試料を含む混合液を透過した光を検出する。そして、検出した検出信号に基づいて、例えば吸光度データで表される標準データや被検データを生成し、生成した標準データや被検データをデータ処理部３０に出力する。
【００１８】
分析制御部２５は、分析部２４の各ユニットを駆動する駆動機構２６及びこの駆動機構２６を制御する駆動制御部２７を備えている。そして、駆動機構２６は、サンプルディスク５、試薬ラック１ａ、及び試薬ラック２ａを夫々回動駆動する。また、反応ディスク４を回転駆動する。また、サンプル分注アーム１０、第１試薬分注アーム８及び第２試薬分注アーム９を夫々回動及び上下駆動してサンプル分注プローブ１６、第１試薬分注プローブ１４及び第２試薬分注プローブ１５を移動させる。また、反応容器洗浄ユニット１２を上下駆動する。また、サンプル分注ポンプ１６ａを吸引及び吐出駆動する。また、洗浄部７０，８０，９０を洗浄駆動する。
【００１９】
図１に示したデータ処理部３０は、分析部２４の測光部１３から出力された標準データや被検データを処理して各検査項目の検量データや分析データを生成する演算部３１と、演算部３１で生成された標準データや分析データを保存するデータ記憶部３２とを備えている。
【００２０】
演算部３１は、測光部１３から出力された標準データ及びこの標準データの標準試料に対して予め設定された標準値から、標準値と標準データの関係を表す検量データを検査項目毎に生成し、生成した検量データを出力部４０に出力すると共にデータ記憶部３２に保存する。
【００２１】
また、測光部１３から出力された被検データに対応する検査項目の検量データをデータ記憶部３２から読み出す。そして、読み出した検量データを用いて測光部１３より出力された被検データから、濃度値や活性値で表される分析データを生成する。そして、生成した分析データを出力部４０に出力すると共にデータ記憶部３２に保存する。
【００２２】
データ記憶部３２は、ハードディスク等のメモリデバイスを備え、演算部３１から出力された検量データを検査項目毎に保存する。また、演算部３１から出力された各検査項目の分析データを被検試料毎に保存する。
【００２３】
出力部４０は、データ処理部３０の演算部３１から出力された検量データや分析データを印刷出力する印刷部４１及び表示出力する表示部４２を備えている。そして、印刷部４１は、プリンタなどを備え、演算部３１から出力された検量データや分析データを予め設定されたフォーマットに従って、プリンタ用紙などに印刷する。
【００２４】
表示部４２は、ＣＲＴや液晶パネルなどのモニタを備え、演算部３１から出力された検量データや分析データを表示する。また、自動分析装置１００で分析可能な検査項目の分析パラメータである例えば反応容器３内に吐出させる試料量及び試薬量や試料容器１７内の試料を吸引させる吸引位置等の設定を行う分析パラメータ設定画面を表示する。また、サンプル分注プローブ１６を通常の洗浄条件とは異なる特殊な洗浄条件で洗浄を行うための検査項目を設定する特殊洗浄条件設定画面を表示する。また、検査を行う被検体の検査項目を被検試料毎に設定するための検査項目設定画面を表示する。
【００２５】
操作部５０は、キーボード、マウス、ボタン、タッチキーパネルなどの入力デバイスを備え、表示部４２に表示された分析パラメータ設定画面で分析パラメータを設定するための入力を行う。表示部４２に表示された特殊洗浄条件設定画面で検査項目を設定するための入力を行う。表示部４２に表示された検査項目設定画面で被検試料毎に検査項目を設定するための入力を行う。
【００２６】
システム制御部６０は、ＣＰＵ及び記憶回路を備えている。そして、操作部５０からの入力により設定された分析パラメータ及び検査項目等に基づいて、分析制御部２５、データ処理部３０、及び出力部４０を統括してシステム全体を制御する。
【００２７】
次に、図２乃至図４を参照して、分析部２４における試料の分注について説明する。  
図３は、試料の分注に用いるサンプル分注プローブ１６、サンプル分注アーム１０、サンプル分注ポンプ１６ａ、液面検出器１６ｂ及び試料容器１７を示した図である。このサンプル分注プローブ１６は上下方向に延びた管から成り、上端部がサンプル分注アーム１０により保持され、上端がサンプル分注ポンプ１６ａと例えば純水等の圧力伝達媒体が充填されたチューブ１６１で連通している。また、液面検出器１６ｂと電気的に接続されている。
【００２８】
試料容器１７は、被検体から採取された被検試料である例えば全血が遠心分離機により分離され、上層へ分離された例えば血清を含む上層試料及び下層へ分離された赤血球、白血球及び血小板を含む下層試料を収容する採血管である。このように、試料容器１７として採血管を用いることにより、採血管から他の容器に移し替える手間を省くことができる。
【００２９】
液面検出器１６ｂは、例えば静電容量センサを有し、試料容器１７内の上層試料を、この試料とサンプル分注プローブ１６との接触による静電容量の変化から検出する。そして、検出した検出信号を分析制御部２５の駆動制御部２７に出力する。
【００３０】
駆動機構２６は、サンプル分注アーム１０を上死点の高さで回動駆動し、図４に示すように、サンプル分注プローブ１６を破線で示した円形の軌道上を矢印Ｒ１方向及びＲ１方向とは反対方向の矢印Ｒ２方向へ移動させる。そして、洗浄部７０により通常の洗浄条件でサンプル分注プローブ１６の洗浄が可能な軌道上に位置する通常洗浄位置Ｐ１、前記軌道上における通常洗浄位置Ｐ１近傍の一方の側に位置するサンプル分注プローブ１６を特殊な洗浄条件で洗浄を行う特殊洗浄位置へ移動させるための特殊洗浄上停止位置Ｐ２、及び前記軌道上における通常洗浄位置Ｐ１近傍の他方の側に位置するサンプル分注プローブ１６を特殊洗浄位置へ移動させるための特殊洗浄上停止位置Ｐ３で停止させる。また、軌道上のサンプルディスク５に保持された試料容器１７上方に位置する試料位置Ｐ４で停止させる。また、軌道上の反応容器３上方に位置する反応位置Ｐ５で停止させる。
【００３１】
このように、サンプル分注プローブ１６の軌道上に通常洗浄位置Ｐ１を設けることにより、各試料の分注を終了した反応位置Ｐ５のサンプル分注プローブ１６を短時間で通常洗浄位置Ｐ１まで移動することができる。
【００３２】
また、駆動機構２６は、各検査項目の分析パラメータに含まれる吸引位置の情報に基づいて、サンプル分注アーム１０を下駆動する。そして、サンプル分注プローブ１６を試料位置Ｐ４から下方向へ移動させて、下端部が試料容器１７内の試料の中に進入した位置で停止させる。
【００３３】
そして、図３（ａ）に示すように、サンプル分注プローブ１６を試料容器１７内の上層試料と接触した位置から、第１の距離Ｄ１下方の通常吸引位置Ｐ４１で停止させる。そして、サンプル分注ポンプ１６ａの吸引駆動によりサンプル分注プローブ１６に上層試料を吸引させる。
【００３４】
このように、通常吸引位置Ｐ４１でサンプル分注プローブ１６を停止させることにより、サンプル分注プローブ１６外壁の第１の距離Ｄ１以外の吸引に不要な部分と試料との接触を防いで、サンプル分注プローブ１６外壁の試料による汚染を抑制することができる。
【００３５】
また、図３（ｂ）に示すように、サンプル分注プローブ１６を通常吸引位置Ｐ４１よりも下方の位置である、試料位置Ｐ４から所定の距離下方の特殊吸引位置Ｐ４２で停止させる。そして、サンプル分注ポンプ１６ａを吸引駆動してサンプル分注プローブ１６に下層試料を吸引させる。
【００３６】
このように、試料容器１７の上下層に分離された下層試料を用いて分析する検査項目の吸引では、サンプル分注プローブ１６を下層試料の吸引が可能な特殊吸引位置Ｐ４２で停止させることができる。
【００３７】
次に、図２乃至図７を参照して、洗浄部７０の構成及びサンプル分注プローブ１６の洗浄について説明する。  
図５は、洗浄部７０の構成の一例を示した図である。この洗浄部７０は、サンプル分注プローブ１６を洗浄するための第１乃至第３の洗浄液を貯留するタンク７１と、タンク７１に貯留された第１乃至第３の洗浄液によりサンプル分注プローブ１６の洗浄が行われる洗浄槽７２と、タンク７１に貯留された第１乃至第３の洗浄液を洗浄槽７２及びサンプル分注プローブ１６に供給する供給部７３により構成される。
【００３８】
タンク７１は、第１の洗浄液を貯留する第１のタンク７１１、第２の洗浄液を貯留する第２のタンク７１２、及び第３の洗浄液を貯留する第３のタンク７１３を備えている。そして、第１のタンク７１１は、サンプル分注プローブ１６の通常の洗浄に使用する例えば純水等の第１の洗浄液を貯留する。また、第２のタンク７１２は、第１及び第３の洗浄液では洗浄不足となり、第１及び第３の洗浄液よりも高い洗浄力を得ることができる場合に用いる例えばアルカリ性洗浄液等の第２の洗浄液を貯留する。また、第３のタンク７１３は、第１及び第２の洗浄液では洗浄不足となり、第１及び第２の洗浄液よりも高い洗浄力を得ることができる場合に用いる例えば酸性洗浄液等の第３の洗浄液を貯留する。
【００３９】
図６は、洗浄槽７２の構成を示した図である。そして、図６（ａ）は洗浄槽７２の側面図であり、図６（ｂ）は図６（ａ）に示した洗浄槽７２のＡ−Ａ矢視断面図である。この洗浄槽７２は、サンプル分注プローブ１６の外壁を第１の洗浄液を用いて洗浄を行うための２つの第１の洗浄管７２１と、サンプル分注プローブ１６の外壁及び内壁を第２又は第３の洗浄液を用いて洗浄を行うための第２の洗浄管７２２とにより構成される。
【００４０】
また、洗浄槽７２は、サンプル分注プローブ１６の外壁を第１の洗浄液を用いて洗浄を行うための第３の洗浄管７２３と、洗浄に使用された各第１乃至第３の洗浄液を排出する排出管７２４と、第１乃至第３の洗浄管７２１乃至７２３及び排出管７２４を支持する洗浄槽本体７２５とにより構成される。
【００４１】
第１の洗浄管７２１は、図７に示すように、互いに対向して洗浄槽本体７２５の上端部近傍に横設される。そして、供給部７３から供給される第１の洗浄液を、通常洗浄位置Ｐ１で停止したサンプル分注プローブ１６に向けて両側から吐出することにより、通常吸引位置Ｐ４１で試料と接触した外壁を含む部分を洗浄する。また、供給部７３によりチューブ１６１を介して他端からサンプル分注プローブ１６内に供給され、一端から吐出する第１の洗浄液によりサンプル分注プローブ１６の試料と接触した内壁を洗浄する。
【００４２】
このように、第１の洗浄管７２１から第１の洗浄液を吐出させることにより、通常吸引位置Ｐ４１で停止したときに試料により汚染されたサンプル分注プローブ１６の外壁洗浄を第１の洗浄液を用いて行うことができる。また、他端からサンプル分注プローブ１６内に第１の洗浄液を供給して一端から吐出させることにより、通常吸引位置Ｐ４１で吸引した試料により汚染されたサンプル分注プローブ１６の内壁洗浄を第１の洗浄液を用いて行うことができる。
【００４３】
第２及び第３の洗浄管７２２，７２３は、第１の洗浄管７２１よりも下方に配置され、サンプル分注プローブ１６を特殊な洗浄条件で洗浄を行うために設けられる。そして、第２の洗浄管７２２は、特殊洗浄上停止置Ｐ２下方の洗浄槽本体７２５内の底部に立設される。また、第３の洗浄管７２３は、特殊洗浄上停止置Ｐ３下方の洗浄槽本体７２５内の底部に立設される。
【００４４】
第２の洗浄管７２２は、供給部７３から供給される第２又は第３の洗浄液が下端から流入し、流入した第２又は第３の洗浄液が内部を上方に流動して上端から流出することにより、新鮮な第２又は第３の洗浄液で満たされる。また、第３の洗浄管７２３は、供給部７３から供給される第１の洗浄液が下端から流入し、流入した第１の洗浄液が内部を上方に流動して上端から流出することにより、新鮮な第１の洗浄液で満たされる。
【００４５】
ここで、駆動機構２６は、特殊吸引位置Ｐ４２で試料を吸引して反応容器３内へ吐出したサンプル分注プローブ１６を、特殊洗浄上停止位置Ｐ２から下に移動する。そして、図８（ａ）に示すように、通常吸引位置Ｐ４１で試料と接触した外壁を含む部分が第２の洗浄管７２２内の第２又は第３の洗浄液に浸漬される特殊洗浄位置である第１の洗浄位置Ｐ２１でサンプル分注プローブ１６を停止させる。これにより、サンプル分注プローブ１６の外壁洗浄を行う。また、サンプル分注ポンプ１６ａを吸引駆動させて第１の洗浄位置Ｐ２１のサンプル分注プローブ１６に第２又は第３の洗浄液を吸引させることにより内壁洗浄を行う。
【００４６】
次いで、駆動機構２６は、第２又は第３の洗浄液を吸引したサンプル分注プローブ１６を移動して、通常洗浄位置Ｐ１で停止させる。そして、通常洗浄位置Ｐ１で第１の洗浄液を用いて第２又は第３の洗浄液が付着したサンプル分注プローブ１６の外壁及び内壁洗浄を行う。
【００４７】
このように、第２の洗浄管７２２内を新鮮な第２又は第３の洗浄液で満たし、サンプル分注プローブ１６を第１の洗浄位置Ｐ２１で停止させることにより、通常吸引位置Ｐ４１で停止したときに試料により汚染されたサンプル分注プローブ１６の外壁洗浄を第２又は第３の洗浄液を用いて行うことができる。また、サンプル分注プローブ１６内に第２又は第３の洗浄液を吸引させることにより、吸引したときに試料により汚染されたサンプル分注プローブ１６の内壁洗浄を第２又は第３の洗浄液を用いて行うことができる。更に、通常洗浄位置Ｐ１で停止させたサンプル分注プローブ１６に第１の洗浄液を供給することにより、サンプル分注プローブ１６に付着した第２又は第３の洗浄液を洗い落とすことができる。
【００４８】
また、駆動機構２６は、特殊吸引位置Ｐ４２で試料を吸引して反応容器３内へ吐出したサンプル分注プローブ１６を特殊洗浄上停止位置Ｐ２から下に移動する。そして、図８（ｂ）に示すように、特殊吸引位置Ｐ４２で被検試料と接触した外壁を含む一端から上方へ第２の距離Ｄ２までの部分が第２の洗浄管７２２内の第２又は第３の洗浄液に浸漬される特殊洗浄位置である第２の洗浄位置Ｐ２２で停止させる。これにより、サンプル分注プローブ１６の外壁洗浄を行う。また、サンプル分注ポンプ１６ａを吸引駆動させて第２の洗浄位置Ｐ２２で第２又は第３の洗浄液を吸引させてサンプル分注プローブ１６の被検試料と接触した内壁の洗浄を行う。
【００４９】
このように、第２の洗浄管７２２内を新鮮な第２又は第３の洗浄液で満たし、サンプル分注プローブ１６を第２の洗浄位置Ｐ２２で停止させることにより、特殊吸引位置Ｐ４２で停止したときに被検試料により汚染されたサンプル分注プローブ１６の外壁洗浄を第２又は第３の洗浄液を用いて行うことができる。また、サンプル分注プローブ１６内に第２又は第３の洗浄液を吸引させることにより、吸引したときに試料により汚染されたサンプル分注プローブ１６の内壁洗浄を第２又は第３の洗浄液を用いて行うことができる。
【００５０】
また、駆動機構２６は、第２の洗浄位置Ｐ２２で第２又は第３の洗浄液を吸引したサンプル分注プローブ１６を移動し、図９に示すように、通常洗浄位置Ｐ１と例えば特殊洗浄上停止位置Ｐ３の間の特殊内壁洗浄位置Ｐ１３で停止させる。そして、特殊内壁洗浄位置Ｐ１３で供給部７３から第１の洗浄液をサンプル分注プローブ１６に供給することにより、第２又は第３の洗浄液が付着したサンプル分注プローブ１６の内壁洗浄を行う。また、特殊吸引位置Ｐ４２で吸引した被検試料を反応容器３内へ吐出した後のサンプル分注プローブ１６を特殊内壁洗浄位置Ｐ１３で停止させる。そして、供給部７３から第１の洗浄液を供給することにより、サンプル分注プローブ１６の被検試料と接触した内壁を洗浄する。
【００５１】
このように、特殊内壁洗浄位置Ｐ１３で停止させたサンプル分注プローブ１６に第１の洗浄液を供給することにより、第２の洗浄位置Ｐ２２で吸引したときにサンプル分注プローブ１６内壁に付着した第２又は第３の洗浄液を洗い落とすことができる。また、特殊吸引位置Ｐ４２で吸引したときに被検試料により汚染されたサンプル分注プローブ１６の内壁洗浄を行うことができる。
【００５２】
また、駆動機構２６は、特殊内壁洗浄位置Ｐ１３で第１の洗浄液を用いて内壁が洗浄されたサンプル分注プローブ１６を特殊洗浄上停止位置Ｐ３から下に移動する。そして、図１０に示すように、第２の洗浄位置Ｐ２２で第２又は第３の洗浄液と接触した外壁を含む、又は特殊吸引位置Ｐ４２で被検試料と接触した外壁を含む一端から上方へ第３の距離Ｄ３までの部分が第３の洗浄管７２３内の第１の洗浄液に浸漬される特殊洗浄位置である第３の洗浄位置Ｐ３１で停止させる。これにより、サンプル分注プローブ１６の外壁洗浄を行う。
【００５３】
このように、第３の洗浄管７２３内を新鮮な第１の洗浄液で満たし、サンプル分注プローブ１６を第３の洗浄位置Ｐ３１で停止させることにより、第２の洗浄位置Ｐ２２で停止したときにサンプル分注プローブ１６外壁に付着した第２又は第３の洗浄液を洗い落とすことができる。また、特殊吸引位置Ｐ４２で停止したときに被検試料により汚染されたサンプル分注プローブ１６の外壁洗浄を第１の洗浄液を用いて行うことができる。
【００５４】
排出管７２４は、洗浄槽本体７２５の下端部に設けられ、第１の洗浄管７２１から吐出された第１の洗浄液、第２の洗浄管７２２から流出した第２又は第３の洗浄液、及び第３の洗浄管７２３から流出した第１の洗浄液を洗浄槽本体７２５外へ排出する。
【００５５】
洗浄槽本体７２５は、第１乃至第３の洗浄管７２１乃至７２３及び排出管７２４を保持すると共に、第１の洗浄管７２１から吐出された第１の洗浄液、第２の洗浄管７２２から流出した第２又は第３の洗浄液、及び第３の洗浄管７２３から流出した第１の洗浄液の漏れや飛散を防いで排出管７２５に導くために設けられている。そして、試料位置Ｐ４と反応位置Ｐ５間を移動するサンプル分注プローブ１６６が洗浄槽７２を通過可能なように２つの切欠き７２５ａを有する。
【００５６】
図５に示した供給部７３は、タンク７１の第１のタンク７１１に貯留された第１の洗浄液を吸引して洗浄槽７２の第１又は第３の洗浄管７２１，７２３に供給するためのポンプ７３１と、第１のタンク７１１の第１の洗浄液を吸引してサンプル分注プローブ１６に供給するためのポンプ７３２と、第２又は第３のタンク７１２，７１３に貯留された第２又は第３の洗浄液を吸引して第２の洗浄管７２２に供給するためのポンプ７３３とを備えている。
【００５７】
また、供給部７３は、ポンプ７３１と洗浄槽７２の間に配置された分析制御部２５の駆動制御部２７により駆動制御される三方電磁弁７３４と、三方電磁弁７３４と洗浄槽７２の間に配置された三方電磁弁７３４からの洗浄液を分岐して洗浄槽７２の２つの第１の洗浄管７２１に供給する分岐管７３５と、第２及び第３のタンク７１２，７１３とポンプ７３３の間に配置された駆動制御部２７により駆動制御される三方電磁弁７３６を備えている。
【００５８】
そして、通常洗浄位置Ｐ１で停止したサンプル分注プローブ１６の外壁洗浄では、三方電磁弁７３４がポンプ７３１と第１の洗浄管７２１間を開放すると共にポンプ７３１と第３の洗浄管７２３間を閉鎖した後、ポンプ７３１が第１のタンク７１１の第１の洗浄液を吸引して第１の洗浄管７２１に供給する。この供給により、第１の洗浄管７２１から第１の洗浄液が吐出される。また、サンプル分注プローブ１６の内壁洗浄では、ポンプ７３２が第１のタンク７１１の第１の洗浄液を吸引してサンプル分注プローブ１６に供給する。この供給により、サンプル分注プローブ１６から第１の洗浄液が吐出される。
【００５９】
また、第２及び第３の洗浄位置Ｐ２１，Ｐ２２で停止するサンプル分注プローブ１６の外壁洗浄では、三方電磁弁７３６がポンプ７３３と第２のタンク７１２の間を開放すると共にポンプ７３３と第３のタンク７１３の間を閉鎖した後、ポンプ７３３が第２のタンク７１２内の第２の洗浄液を吸引して第２の洗浄管７２２に供給する。この供給により、第２の洗浄管７２２に第２の洗浄液が満たされる。また、サンプル分注プローブ１６の内壁洗浄では、サンプル分注ポンプ１６ａが吸引動作することにより、第２の洗浄管７２２内の第２の洗浄液がサンプル分注プローブ１６内に吸引される。
【００６０】
また、第２及び第３の洗浄位置Ｐ２１，Ｐ２２で停止するサンプル分注プローブ１６の外壁洗浄では、三方電磁弁７３６がポンプ７３３と第３のタンク７１３の間を開放すると共にポンプ７３３と第２のタンク７１２の間を閉鎖した後、ポンプ７３３が第３のタンク７１３内の第３の洗浄液を吸引して第２の洗浄管７２２に供給する。この供給により、第２の洗浄管７２２に第３の洗浄液が満たされる。また、サンプル分注プローブ１６の内壁洗浄では、サンプル分注ポンプ１６ａが吸引動作することにより、第２の洗浄管７２２内の第３の洗浄液がサンプル分注プローブ１６内に吸引される。
【００６１】
また、特殊内壁洗浄位置Ｐ１３で停止したサンプル分注プローブ１６の内壁洗浄では、ポンプ７３２が第１のタンク７１１内の第１の洗浄液を吸引してサンプル分注プローブ１６に供給する。この供給により、サンプル分注プローブ１６から第１の洗浄液が吐出される。
【００６２】
また、第３の洗浄位置Ｐ３１で停止するサンプル分注プローブ１６の外壁洗浄では、三方電磁弁７３４がポンプ７３１と第３の洗浄管７２３間を開放すると共にポンプ７３１と第１の洗浄管７２１間を閉鎖した後、ポンプ７３１が第１のタンク７１１内の第１の洗浄液を吸引して第３の洗浄管７２３に供給する。この供給により、第３の洗浄管７２３に第１の洗浄液が満たされる。
【００６３】
以下、図１乃至図１２を参照して、複数の被検試料の分注が行われるときのサンプル分注プローブ１６の洗浄動作の一例について説明する。
【００６４】
表示部４２に分析パラメータ設定画面を表示し、自動分析装置１００で分析可能な検査項目Ａ１乃至Ａｎを設定するための入力を操作部５０から行う。そして、検査項目Ａ２の吸引位置として特殊吸引位置Ｐ４２を入力し、検査項目Ａ１及び検査項目Ａ３乃至Ａｎの吸引位置として通常吸引位置Ｐ４１を入力する。各検査項目Ａ１乃至Ａｎの分析パラメータを入力した後、表示部４２に特殊洗浄条件設定画面を表示する。
【００６５】
図１１は、表示部４２に表示された特殊洗浄条件設定画面の一例を示した図である。この特殊洗浄条件設定画面４３は、第２又は第３の洗浄位置Ｐ２２，Ｐ３１でサンプル分注プローブ１６の外壁洗浄を必要とする場合の検査項目を設定するための「洗浄位置」の欄と、第１の洗浄液では洗浄力が不足して影響を受ける検査項目を設定するための「洗浄液の種類」の欄とにより構成される。また、通常洗浄の洗浄時間よりも長い洗浄時間を必要とする検査項目を設定するための「時間」の欄により構成される。そして、操作部５０から各欄に該当する検査項目を設定するための入力を行う。
【００６６】
「洗浄位置」の欄には、特殊吸引位置Ｐ４２が設定され、下層試料を用いて分析を行う必要のある例えばグリコヘモグロビン等の検査項目Ａ２を設定する。この設定により、検査項目Ａ２分析用の分注を終了して次の分注を行う前に、第２の洗浄位置Ｐ２２で第２又は第３の洗浄液を用いてサンプル分注プローブ１６の外壁洗浄を行う、又は第３の洗浄位置Ｐ３１で第１の洗浄液を用いてサンプル分注プローブ１６の外壁洗浄を行う。
【００６７】
このように、特殊吸引位置Ｐ４２で停止するサンプル分注プローブ１６を第２又は第３の洗浄位置Ｐ２２，Ｐ３１で停止させることにより、被検試料により汚染されたサンプル分注プローブ１６の通常の洗浄条件の位置では洗浄不可能な外壁部分の洗浄を行うことができる。
【００６８】
「洗浄液の種類」の欄は、「第２の洗浄液」及び「第３の洗浄液」の欄により構成される。そして、「第２の洗浄液」の欄には、２つの被検試料を連続して分注する場合、分注が後になる被検試料（後試料）で分析を行うことにより、サンプル分注プローブ１６を介して分注が先になる被検試料（先試料）から影響を受ける検査項目のうち、先試料の分注を終了した後に第２の洗浄液を用いてサンプル分注プローブ１６を洗浄することにより、高感度な分析が要求され、先試料に含まれる成分により影響を受けやすい例えばＣ型肝炎ウイルス（ＨＣＶ）等の検査項目Ａ１を設定する。この設定により、後試料に検査項目Ａ１が設定されている場合、先試料の分注を終了した後の後試料の分注を開始する前に、第１又は第２の洗浄位置Ｐ２１，Ｐ２２で第２の洗浄液を用いてサンプル分注プローブ１６の外壁及び内壁洗浄を行う。
【００６９】
このように、検査項目Ａ１が設定された被検試料の分注を開始する前に、サンプル分注プローブ１６を第１又は第２の洗浄位置Ｐ２１，Ｐ２２で停止させることにより、第１の洗浄液を用いた通常の洗浄条件よりも洗浄力を有する第２の洗浄液を用いてサンプル分注プローブ１６の外壁及び内壁洗浄を行うことができる。
【００７０】
第３の洗浄液」の欄には、２つの被検試料を連続して分注する場合、後試料で分析を行うことにより、サンプル分注プローブ１６を介して先試料から影響を受ける検査項目のうち、先試料の分注を終了した後に第３の洗浄液を用いてサンプル分注プローブ１６を洗浄することにより、先試料の影響を低減することができる例えば検査項目Ａ６を設定する。
【００７１】
この設定により、後試料に検査項目Ａ６が設定されている場合、先試料の分注を終了した後の後試料の分注を開始する前に、第１又は第２の洗浄位置Ｐ２１，Ｐ２２で第３の洗浄液を用いてサンプル分注プローブ１６の外壁及び内壁洗浄を行う。
【００７２】
このように、検査項目Ａ６が設定された被検試料の分注を開始する前に、サンプル分注プローブ１６を第１又は第２の洗浄位置Ｐ２１，Ｐ２２で停止させることにより、第１の洗浄液を用いた通常の洗浄条件よりも洗浄力を有する第３の洗浄液を用いてサンプル分注プローブ１６の外壁及び内壁洗浄を行うことができる。
【００７３】
「時間」の欄には、２つの被検試料を連続して分注する場合、後試料を用いて分析を行うことにより、サンプル分注プローブ１６を介して先試料から影響を受ける検査項目のうち、先試料の分注を終了した後にサンプル分注プローブ１６を通常の洗浄条件としての時間（通常時間Ｔ０）よりも長い特殊な洗浄条件としての時間（特殊時間Ｔ１）をかけて洗浄することにより先試料の影響を低減することができる検査項目を設定する。ここでは、例えば検査項目Ａ１を設定する。
【００７４】
この設定により、後試料に検査項目Ａ１が設定されている場合、先試料の分注を終了した後の後試料の分注を開始する前に、第１乃至第３の洗浄位置Ｐ２１，Ｐ２２，Ｐ３１のいずれかの洗浄位置でサンプル分注プローブ１６が停止してから特殊時間Ｔ１経過するまで外壁洗浄を行う。また、後試料に検査項目Ａ１が設定されていない場合、先試料の分注を終了して後試料の分注を開始する前に、第１乃至第３の洗浄位置Ｐ２１，Ｐ２２，Ｐ３１のいずれかの洗浄位置でサンプル分注プローブ１６が停止してから通常時間Ｔ０経過するまで外壁洗浄を行う。
【００７５】
このように、第１乃至第３の洗浄位置Ｐ２１，Ｐ２２，Ｐ３１のいずれかの洗浄位置でサンプル分注プローブ１６を特殊時間Ｔ１停止させることにより、いずれかの洗浄位置で通常時間Ｔ０停止させる洗浄よりも強力にサンプル分注プローブ１６の外壁や内壁の洗浄を行うことができる。
【００７６】
図１２は、複数の被検試料、各被検試料に設定された検査項目及び洗浄条件の一例を示した図である。この被検試料Ｂ１乃至Ｂ５には、例えば検査項目Ａ１乃至Ａ４が設定されている。そして、被検試料Ｂ１には検査項目Ａ１，Ａ２が設定され、被検試料Ｂ２には検査項目Ａ２が設定されている。また、被検試料Ｂ３には検査項目Ａ１が設定され、被検試料Ｂ４には検査項目Ａ１，Ａ２が設定されている。また、被検試料Ｂ５には検査項目Ａ３，Ａ４が設定されている。そして、被検試料Ｂ１、被検試料Ｂ２、被検試料Ｂ３、被検試料Ｂ４、被検試料Ｂ５の順に分注が行われ、各被検試料Ｂ１乃至Ｂ５の分注終了毎に、図１１の特殊洗浄条件設定画面４３の各欄に設定された洗浄条件に基づいてサンプル分注プローブ１６の洗浄を行う。
【００７７】
ここでは、１番目に検査項目Ａ１分析用としての被検試料Ｂ１が分注され、２番目に検査項目Ａ２分析用としての被検試料Ｂ１が分注される。被検試料Ｂ１の分注が終了した後、３番目に検査項目Ａ２分析用としての被検試料Ｂ２が分注される。被検試料Ｂ２の分注が終了した後、４番目に検査項目Ａ１分析用としての被検試料Ｂ３が分注される。被検試料Ｂ３の分注が終了した後、５番目に検査項目Ａ１分析用としての被検試料Ｂ４が分注され、６番目に検査項目Ａ２分析用としての被検試料Ｂ４が分注される。被検試料Ｂ４の分注が終了した後、７番目に検査項目Ａ３分析用としての検被検試料Ｂ５が分注され、８番目に検査項目Ａ４分析用としての被検試料Ｂ５が分注される。
【００７８】
そして、被検試料Ｂ１の最後の分注が「洗浄位置」の欄に設定された検査項目Ａ２分析用であり、「洗浄液の種類」及び「時間」の欄に設定された検査項目Ａ１，Ａ４，Ａ６以外の項目が被検試料Ｂ２に設定されている。従って、被検試料Ｂ１の分注を終了した後の被検試料Ｂ２の分注を開始する前に、サンプル分注プローブ１６を特殊内壁洗浄位置Ｐ１３で停止させ、第１の洗浄液を用いて内壁洗浄を行う。次いで、第３の洗浄位置Ｐ３１で通常時間Ｔ０停止させ、第１の洗浄液を用いて外壁洗浄を行う。
【００７９】
このように、特殊洗浄条件設定画面４３に設定された特殊な洗浄条件で洗浄を行うための検査項目Ａ２の情報に基づいて、特殊吸引位置Ｐ４２で停止したサンプル分注プローブ１６を第３の洗浄位置Ｐ３１で通常時間Ｔ０停止させることにより、被検試料Ｂ１により汚染されたサンプル分注プローブ１６の通常の洗浄条件では洗浄不可能な外壁部分の洗浄を行うことができる。これにより、被検試料Ｂ１の被検試料Ｂ２への汚染による悪影響を防ぐことが可能となり、被検試料Ｂ２を用いた検査項目Ａ２の分析データの悪化を防ぐことができる。
【００８０】
被検試料Ｂ２の最後の分注が「洗浄位置」の欄に設定された検査項目Ａ２分析用であり、「第２の洗浄液」及び「時間」の欄に設定された検査項目Ａ１が被検試料Ｂ３に設定されている。従って、被検試料Ｂ２の分注を終了した後の被検試料Ｂ３の分注を開始する前に、サンプル分注プローブ１６を第２の洗浄位置Ｐ２２で特殊時間Ｔ１停止させ、第２の洗浄液を用いて外壁及び内壁洗浄を行う。次いで、サンプル分注プローブ１６を特殊内壁洗浄位置Ｐ１３で停止させ、第１の洗浄液を用いて内壁洗浄を行う。更に、サンプル分注プローブ１６を第３の洗浄位置Ｐ３１で停止させ、第１の洗浄液を用いて外壁洗浄を行う。
【００８１】
このように、特殊洗浄条件設定画面４３に設定された特殊な洗浄条件で洗浄を行うための検査項目Ａ１，Ａ２の情報に基づいて、特殊吸引位置Ｐ４２で停止したサンプル分注プローブ１６を第２の洗浄位置Ｐ２２で特殊時間Ｔ１停止させることにより、第１の洗浄液を用いて通常時間Ｔ０停止させる通常の洗浄条件よりも洗浄力を有する第２の洗浄液を用いてサンプル分注プローブ１６の外壁及び内壁洗浄を行うことができる。これにより、被検試料Ｂ２から被検試料Ｂ３への汚染による悪影響を防ぐことが可能となり、被検試料Ｂ３を用いた検査項目Ａ１の分析データの悪化を防ぐことができる。
【００８２】
被検試料Ｂ３の最後の分注が「洗浄位置」の欄に設定された検査項目Ａ２以外の項目であり、「第２の洗浄液」及び「時間」の欄に設定された検査項目Ａ１が被検試料Ｂ４に設定されている。従って、被検試料Ｂ３の分注を終了した後の被検試料Ｂ４の分注を開始する前に、サンプル分注プローブ１６を第１の洗浄位置Ｐ２１で特殊時間Ｔ１停止させ、第２の洗浄液を用いて外壁及び内壁洗浄を行う。次いで、サンプル分注プローブ１６を通常洗浄位置Ｐ１で停止させ、第１の洗浄液を用いて外壁及び内壁洗浄を行う。
【００８３】
このように、特殊洗浄条件設定画面４３に設定された特殊な洗浄条件で洗浄を行うための検査項目Ａ１の情報に基づいて、通常吸引位置Ｐ４１で停止したサンプル分注プローブ１６を第１の洗浄位置Ｐ２１で特殊時間Ｔ１停止させることにより、第１の洗浄液を用いて通常時間Ｔ０停止させる通常の洗浄条件よりも洗浄力を有する第２の洗浄液を用いてサンプル分注プローブ１６の外壁及び内壁洗浄を行うことができる。これにより、被検試料Ｂ３の被検試料Ｂ４への汚染による悪影響を防ぐことが可能となり、被検試料Ｂ４を用いた各検査項目Ａ１，Ａ２の分析データの悪化を防ぐことができる。
【００８４】
被検試料Ｂ４の最後の分注が「洗浄位置」の欄に設定された検査項目Ａ２分析用であり、「洗浄液の種類」及び「時間」の欄に設定された検査項目Ａ１，Ａ６以外の項目が被検試料Ｂ５に設定されている。従って、被検試料Ｂ４の分注を終了した後の被検試料Ｂ５の分注を開始する前に、サンプル分注プローブ１６を特殊内壁洗浄位置Ｐ１３で停止させ、第１の洗浄液を用いて内壁洗浄を行う。次いで、第３の洗浄位置Ｐ３１で通常時間Ｔ０停止させ、第１の洗浄液を用いて外壁洗浄を行う。
【００８５】
このように、特殊洗浄条件設定画面４３に設定された特殊な洗浄条件で洗浄を行うための検査項目Ａ２の情報に基づいて、特殊吸引位置Ｐ４２で停止したサンプル分注プローブ１６を第３の洗浄位置Ｐ３１で通常時間Ｔ０停止させることにより、被検試料Ｂ４により汚染されたサンプル分注プローブ１６の通常の洗浄条件では洗浄不可能な外壁部分の洗浄を行うことができる。これにより、被検試料Ｂ４の被検試料Ｂ５への汚染による悪影響を防ぐことが可能となり、被検試料Ｂ５を用いた検査項目Ａ３，Ａ４の分析データの悪化を防ぐことができる。
【００８６】
被検試料Ｂ５の最後の分注が「洗浄位置」の欄に設定された検査項目Ａ２以外の項目分析用である場合、被検試料Ｂ５の分注を終了した後に通常の洗浄条件で洗浄を行う。そして、サンプル分注プローブ１６を通常洗浄位置Ｐ１で通常時間Ｔ０停止させ、第１の洗浄液を用いて外壁及び内壁洗浄を行う。このように、通常の洗浄を行う場合、短時間で移動することができる通常吸引位置Ｐ４１で停止させて、サンプル分注プローブ１６の外壁及び内壁洗浄を行うことができる。
【００８７】
以上述べた本発明の実施例によれば、特殊洗浄条件設定画面４３に設定された検査項目の情報に基づいて、サンプル分注プローブ１６の洗浄を行うことができる。そして、「洗浄位置」の欄に設定された検査項目に基づいて、その検査項目が設定された先試料の分注が終了した後の後試料の分注を開始する前に、サンプル分注プローブ１６を第２又は第３の洗浄位置Ｐ２２，Ｐ３１で停止させることにより、先試料により汚染されたサンプル分注プローブ１６の通常の洗浄条件の位置では洗浄不可能な外壁部分の洗浄を行うことができる。
【００８８】
また、「第２の洗浄液」の欄に設定された検査項目に基づいて、その検査項目が設定された後試料の分注を開始する前に、サンプル分注プローブ１６を第１又は第２の洗浄位置Ｐ２１，Ｐ２２で停止させることにより、第１の洗浄液を用いた通常の洗浄条件よりも洗浄力を有する第２の洗浄液を用いてサンプル分注プローブ１６の外壁及び内壁洗浄を行うことができる。
【００８９】
更に、「第３の洗浄液」の欄に設定された検査項目に基づいて、その検査項目が設定された後試料の分注を開始する前に、サンプル分注プローブ１６を第１又は第２の洗浄位置Ｐ２１，Ｐ２２で停止させることにより、第１の洗浄液を用いた通常の洗浄条件よりも洗浄力を有する第３の洗浄液を用いてサンプル分注プローブ１６の外壁及び内壁洗浄を行うことができる。
【００９０】
更にまた、「時間」の欄に設定された検査項目に基づいて、その検査項目が設定された後試料の分注を開始する前に、第１乃至第３の洗浄位置Ｐ２１，Ｐ２２，Ｐ３１のいずれかの洗浄位置でサンプル分注プローブ１６を特殊時間Ｔ１停止させることにより、いずれかの洗浄位置で通常時間Ｔ０停止させる洗浄よりも強力にサンプル分注プローブ１６の外壁や内壁の洗浄を行うことができる。
【００９１】
以上により、先試料の後試料への汚染による悪影響を防ぐことが可能となり、後試料を用いた検査項目の分析データの悪化を防ぐことができる。
【００９２】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００９３】
Ｐ１  通常洗浄位置
Ｐ２，Ｐ３  特殊洗浄上停止位置
Ｐ１３  特殊内壁洗浄位置
Ｐ２１  第１の洗浄位置
Ｐ２２  第２の洗浄位置
Ｐ３１  第３の洗浄位置
Ｐ４１  通常吸引位置
Ｐ４２  特殊吸引位置
１６  サンプル分注プローブ
１６  サンプル分注プローブ
２５  分析制御部
２６  駆動機構
２７  駆動制御部
７０  洗浄部
７２  洗浄槽
７２１  第１の洗浄管
７２２  第２の洗浄管
７２３  第３の洗浄管
【図１】
2014055807.tif 000003
【図２】
2014055807.tif 000004
【図３】
2014055807.tif 000005
【図４】
2014055807.tif 000006
【図５】
2014055807.tif 000007
【図６】
2014055807.tif 000008
【図７】
2014055807.tif 000009
【図８】
2014055807.tif 000010
【図９】
2014055807.tif 000011
【図１０】
2014055807.tif 000012
【図１１】
2014055807.tif 000013
【図１２】
2014055807.tif 000014